(57)【特許請求の範囲】
【請求項１】
タップ付変圧器の巻線タップに電気接続されている負荷時タップ切換器の固定接触子（１５）間を停電させずに切り換えるための半導体スイッチング素子を有する当該負荷時タップ切換器において、
前記負荷時タップ切換器の固定接触子（１５）は、軌道に沿って配置されていて、
接触摺動部（９，２９）が、前記軌道に沿って移動可能であり、
互いに絶縁された電気伝導性の第１接触ブリッジ、第２接触ブリッジ及び第４接触ブリッジ（１０，１１，１３；３０，３２，３６）が、前記接触摺動部（９，２９）上に配置されていて、これらの第１接触ブリッジ、第２接触ブリッジ及び第４接触ブリッジ（１０，１１，１３；３０，３２，３６）に対して同様に電気絶縁されたものの、互いに電気接続されている２つの別の第３接触ブリッジ及び第５接触ブリッジ（１２，１４；３３，３５）が配置されていて、静的運転中には、前記負荷時タップ切換器の複数の固定接触子（１５）のうちの１つの固定接触子が、第４接触ブリッジ（１３；３６）を介して転位タップ（２０）の複数の転位接触子（１９．１，．．．，１９．５）のうちの１つの転位接触子に選択式に電気接続可能であり、第１接触ブリッジ（１０；３０）と第２接触ブリッジ（１１；３２）と第３接触ブリッジ（１２；３３）と第５接触ブリッジ（１４；３５）とを介して前記転位タップ（２０）の前記複数の転位接触子（１９．１，．．．，１９．５）のうちの１つの転位接触子に電気接続不可能であり、切り換え開閉中には、前記負荷時タップ切換器の固定接触子（１５）のうちのその都度の１つの固定接触子が、前記半導体スイッチング素子（２，３）のうちの１つの半導体スイッチの入力部（４，５）に短期間電気接続可能であり、さらにそれぞれの前記半導体スイッチ（２，３）の出力部（６）が、前記転位タップ（２０）に電気接続可能であり、
前記半導体スイッチング素子（２，３）が、前記静的運転中に前記転位タップ（２０）及び同時に前記変圧器の巻線から電気的に分離されているように、前記転位タップ（２０）が、分割されて固定された複数の前記転位接触子（１９．１，．．．，１９．５）を有し、当該個々の転位接触子（１９．１，．．．，１９．５）は、前記転位タップ（２０）を通じて互いに電気接続されている当該負荷時タップ切換器。
【請求項２】
前記分割されて固定された複数の前記転位接触子（１９．１，．．．，１９．５）は、別の軌道内で前記負荷時タップ切換器の固定接触子（１５）の前記軌道に対して平行に且つ前記複数の転位接触子（１９．１，．．．，１９．５）と同じ間隔をあけて且つ前記複数の転位接触子（１９．１，．．．，１９．５）と同じ幾何構造で配置されていることを特徴とする請求項１に記載の負荷時タップ切換器。
【請求項３】
固定された前記負荷時タップ切換器の固定接触子（１５）及び固定された前記転位接触子（１９．１，．．．，１９．５）はそれぞれ、１つの平面軌道に沿って配置されていて、前記接触摺動部（９）は直線状に移動可能であることを特徴とする請求項１又は２に記載の負荷時タップ切換器。
【請求項４】
固定された前記負荷時タップ切換器の固定接触子（１５）及び固定された前記転位接触子（１９．１，．．．，１９．５）はそれぞれ、回転可能な前記接触摺動部（９）の回転点を同心円に包囲する１つの円形軌道上に配置されていることを特徴とする請求項１又は２に記載の負荷時タップ切換器。
【請求項５】
前記半導体スイッチ（２，３）は、ＩＧＢＴであることを特徴とする請求項１〜４のいずれか１項に記載の負荷時タップ切換器。
【請求項６】
両前記半導体スイッチ（２，３）はそれぞれ、独立した１つの電気入力部（４，５）及び共通の１つの電気出力部（６）を有することを特徴とする請求項１〜５のいずれか１項に記載の負荷時タップ切換器。
【請求項７】
電気伝導性であるものの、互いに絶縁された複数の接触軌道（１６，１７，１８；２５，２６，２７）が、固定された前記負荷時タップ切換器の固定接触子（１５）の前記軌道に対して平行に設けられていて、これらの接触軌道（１６，１７，１８；２５，２６，２７）のうちのその都度の１つの接触軌道が、前記電気入力部（４，５）のうちの１つの電気入力部又は前記電気出力部（６）に電気接続していることを特徴とする請求項６に記載の負荷時タップ切換器。
【請求項８】
前記転位接触子（１９．１，．．．，１９．５）の軌道が、前記接触軌道（１６，１７，１８；２５，２６，２７）に対して平行に、これらの接触軌道（１６，１７，１８；２５，２６，２７）に対しても電気的に絶縁されて設けられていて、前記転位接触子（１９．１，．．．，１９．５）自体が、前記転位タップ（２０）に電気接続されている請求項７に記載の負荷時タップ切換器。
【請求項９】
前記第１〜５接触ブリッジ（１０，１１，１２，１３，１４；３０，３２，３３，３５，３６）が、前記接触軌道（１６，１７，１８；２５，２６，２７）又は前記転位接触子（１９．１，．．．，１９．５）のうちの１つの転位接触子に対応し、前記第１〜５接触ブリッジ（１０，１１，１２，１３，１４）を介して、切り換えに応じて、選択的に、前記負荷時タップ切換器の固定接触子（１５）のうちの１つの固定接触子と前記転位接触子（１９．１，．．．，１９．５）のうちの１つの転位接触子とが直接電気接続可能であるか、又は、前記負荷時タップ切換器の固定接触子（１５）のうちの１つの固定接触子と前記電気入力部（４，５）のうちの１つの電気入力部とが電気接続可能であり、且つ、前記電気出力部（６）と前記転位接触子（１９．１，．．．，１９．５）のうちの１つの転位接触子とがさらに電気接続可能であるように、前記第１〜５接触ブリッジ（１０，１１，１２，１３，１４；３０，３２，３３，３５，３６）が、寸法決めされていて、且つ前記接触摺動部（９，２９）上に立体的に配置されていることを特徴とする請求項８に記載の負荷時タップ切換器。
【発明の詳細な説明】
【技術分野】
【０００１】
本発明は、タップ付変圧器の巻線タップ間を停電させずに切り換えるための半導体スイッチング素子を有する負荷時タップ切換器に関する。この場合、本発明は、負荷タップ選択器の原理にしたがう負荷時タップ切換器に由来する。
【背景技術】
【０００２】
負荷時タップ切換器は、様々な実施の形態で知られている；これらの負荷時タップ切換器は、負荷タップ選択器と、切り換えられなければならない新しい巻線タップを無電流状態で選択するための独立したタップ選択器及び当該選択に追従して実際に切り換えるための切換開閉器を有する機器とに原理的に区別される。“Ａｘｅｌ  Ｋｒａｅｍｅｒ：Ｏｎ−Ｌｏａｄ  Ｔａｐ−Ｃｈａｎｇｅｒｓ  ｆｏｒ  Ｐｏｗｅｒ  Ｔｒａｎｓｆｏｒｍｅｒｓ”，ＭＲ−Ｐｕｂｌｉｋａｔｉｏｎ  ２０００年は、様々な構造形式についての概論を提示する。当該構造形式の特徴が、その第７頁に説明されている。あらゆる負荷時タップ切換器が、構造形式に関係なく１つの共通の転位タップを有する。この転位タップは、負荷時タップ切換器の実際の位置に関係なく変圧器、通常は主巻線に対する接続を行う。
【０００３】
例えば、従来の技術のように、このようなただ１つの転位タップを有する負荷時タップ切換器が、国際公開第９９／６０５８８号パンフレットから公知である。当該公知の解決手段の場合、この転位タップは、電気伝導性のスリップリングとして形成されている。このスリップリングは、柱状スイッチを同心状に包囲する。接触ブリッジの一方の部分が、このスリップリング上で摺動する。この接触ブリッジの他方の部分が、それぞれの固定ステップ接触子に電気接触する。
【０００４】
負荷時タップ切換器にほぼ類似する配置が、ドイツ連邦共和国特許出願公開第３８３３１２６号明細書から既に公知である。特に当該図４が、ここでは概略的に直線で示されている１つの連続した転位タップを示す。
【０００５】
機械式の接触子又はスイッチ手段として真空スイッチ室も有する負荷時タップ切換器に関しては、これらの連続したスリップリング又は負荷時タップ切換器の直線方向の操作の場合は転位軌道も問題ない；当該スリップリング又は転位軌道は、構造上簡単な構成を可能にする。これに対して、半導体スイッチング素子を有する負荷時タップ切換器に関しては、様々な欠点が生じる。運転電圧の持続する印加及び衝撃電圧による電力用電子機器のストレスに起因して、長い絶縁距離が必要である。このことは、望まれていない。さらに、変圧器の隔壁による高価な高圧遮断器が必要である。以上により、当該公知の転位タップは、電力用電子機器の構成要素に持続する負荷をかける。
【特許文献１】国際公開第９９／６０５８８号パンフレット
【特許文献２】ドイツ連邦共和国特許出願公開第３８３３１２６号明細書
【非特許文献１】“Ａｘｅｌ  Ｋｒａｅｍｅｒ：Ｏｎ−Ｌｏａｄ  Ｔａｐ−Ｃｈａｎｇｅｒｓ  ｆｏｒ  Ｐｏｗｅｒ  Ｔｒａｎｓｆｏｒｍｅｒｓ”，ＭＲ−Ｐｕｂｌｉｋａｔｉｏｎ  ２０００年、第７頁
【発明の開示】
【発明が解決しようとする課題】
【０００６】
本発明の課題は、これらの欠点を排除すること、及び、半導体スイッチング素子の高い負荷を回避し且つ静的運転中に負荷時タップ切換器を変圧器の巻線から電気絶縁する半導体スイッチング素子を有する負荷時タップ切換器を提供することにある。
【課題を解決するための手段】
【０００７】
この課題は、請求項１に記載の、
タップ付変圧器の巻線タップに電気接続されている負荷時タップ切換器の固定接触子（１５）間を停電させずに切り換えるための半導体スイッチング素子を有する当該負荷時タップ切換器において、
前記負荷時タップ切換器の固定接触子（１５）は、軌道に沿って配置されていて、
接触摺動部（９，２９）が、前記軌道に沿って移動可能であり、
互いに絶縁された電気伝導性の第１接触ブリッジ、第２接触ブリッジ及び第４接触ブリッジ（１０，１１，１３；３０，３２，３６）が、前記接触摺動部（９，２９）上に配置されていて、これらの第１接触ブリッジ、第２接触ブリッジ及び第４接触ブリッジ（１０，１１，１３；３０，３２，３６）に対して同様に電気絶縁されたものの、互いに電気接続されている２つの別の第３接触ブリッジ及び第５接触ブリッジ（１２，１４；３３，３５）が配置されていて、静的運転中には、前記負荷時タップ切換器の複数の固定接触子（１５）のうちの１つの固定接触子が、第４接触ブリッジ（１３；３６）を介して転位タップ（２０）の複数の転位接触子（１９．１，．．．，１９．５）のうちの１つの転位接触子に選択式に電気接続可能であり、第１接触ブリッジ（１０；３０）と第２接触ブリッジ（１１；３２）と第３接触ブリッジ（１２；３３）と第５接触ブリッジ（１４；３５）とを介して前記転位タップ（２０）の前記複数の転位接触子（１９．１，．．．，１９．５）のうちの１つの転位接触子に電気接続不可能であり、切り換え開閉中には、前記負荷時タップ切換器の固定接触子（１５）のうちのその都度の１つの固定接触子が、前記半導体スイッチング素子（２，３）のうちの１つの半導体スイッチの入力部（４，５）に短期間電気接続可能であり、さらにそれぞれの前記半導体スイッチ（２，３）の出力部（６）が、前記転位タップ（２０）に電気接続可能であり、
前記半導体スイッチング素子（２，３）が、前記静的運転中に前記転位タップ（２０）及び同時に前記変圧器の巻線から電気的に分離されているように、前記転位タップ（２０）が、分割されて固定された複数の前記転位接触子（１９．１，．．．，１９．５）を有し、当該個々の転位接触子（１９．１，．．．，１９．５）は、前記転位タップ（２０）を通じて互いに電気接続されている当該負荷時タップ切換器によって解決される。従属請求項は、本発明の好適なその他の構成に関する。
【０００８】
本発明の解決手段の特別な利点は、パワーエレクトロニクス部品の接続線が、静的運転中に変圧器の巻線から電気的に分離されている点にある。したがって、当該パワーエレクトロニクス部品は、衝撃電圧と運転電圧による持続するストレスとの双方から確実に分離されている。切換フェーズ、すなわち実際の切り換え開閉中にだけ、変圧器の巻線との電気接続が存在する。
【発明を実施するための最良の形態】
【０００９】
以下に、本発明を実施の形態に基づいてさらに詳しく説明する。
図１中には、パワーエレクトロニクスを利用した切換開閉器１を有する負荷時タップ切換器を示す。この場合、２つの半導体スイッチ２及び３が設けられている。これらの半導体スイッチ２及び３はそれぞれ、電気入力部４又は５及び共通の電気出力部６を有する。したがって、切換開閉器１は、２つの経路：断路側用の経路及び継電側用の経路から構成され、当該経路のそれぞれが、半導体スイッチ２又は３によって実現される。電気入力部４，５及び電気出力部６が、導管７によって機械式接触系８内に引き込まれている。この機械式接触系８は、接触摺動部９を有する。この接触摺動部９は、図１中では専ら破線によって示されている。この接触摺動部９は、接触ブリッジ１０，１１，１２，１３を有する。これらの接触ブリッジ１０，１１，１２，１３は、接触摺動部９に固定して配置されている。これらの接触ブリッジ１０，１１，１２，１３は、電気伝導性であるものの、互いに絶縁されている；これらの接触ブリッジ１０，１１，１２，１３は、当該端部に図２中だけに示された公知の接触ローラ、摺動装置又は匹敵する手段を有する。これらの接触ブリッジ１０，１１，１２，１３及び枢着連結された追加のもう１つの接触ローラ（第５接触ブリッジ）１４に関しては、後でさらに詳しく説明する。図１中に示されたステップ接触子１５の各々が、タップ付変圧器の制御巻線の１つの巻線タップｎ，ｎ＋１，．．．に対応する。
【００１０】
さらに、３つの接触軌道１６，１７，１８が、機械式接触系内に設けられている。これらの接触軌道１６，１７，１８はそれぞれ、電気伝導性である。これらの接触軌道１６，１７，１８の各々が、半導体スイッチ２，３の電気入力部４又は電気入力部５又は電気出力部６に電気接続している。
【００１１】
本発明によれば、転位タップが分割されている。すなわち、従来の技術から公知の連続した転位軌道又はその他の軌道は設けられていない。この代わりに、本発明では、個々の転位接触子１９．１，１９．２，１９．３，１９．４，１９．５が配置されている。接触摺動部９の移動方向に沿って設けられているこれらの転位接触子１９．１，１９．２，１９．３，１９．４，１９．５の寸法が、固定されたステップ接触子１５に一致する。換言すれば：転位接触子１９．１〜１９．５の位置及び寸法が、−別の水平面内の−固定されたステップ接触子１５の位置及び寸法に対応する。本発明で図示された実施の形態の場合、接触軌道１６〜１８及び個々の転位接触子１９．１〜１９．５が互いに平行に敷設されている；この場合、接触摺動部９が、接触のために直線状に並進移動する。個々の転位接触子１９．１〜１９．５は、電気接続部である転位タップ２０を介して互いに接続されていて且つ主巻線２１に接続されている。転位タップ２０は、負荷時タップ切換器の内側だけではなくて、外側にも敷設され得る。
【００１２】
第１接触ブリッジ１０の一方の解放端部が、ステップ接触子１５に接触し、その他方の解放端部が、接触軌道１６で移動する。この接触軌道１６は、第１半導体スイッチ２の入力部４に電気接続されている。同様に、第２接触ブリッジ１１の一方の解放端部が、固定されたステップ接触子１５に接触し、その他方の解放端部が、別の接触軌道１７上で移動する。この接触軌道１７は、第２半導体スイッチの入力部５に電気接続している。第３接触ブリッジ１２の一方の解放端部が、接触軌道１８上で移動する。この接触軌道１８は、パワーエレクトロニクスを利用した電力スイッチの共通の電気出力部６に接続されている。この第３接触ブリッジ１２の他方の解放端部が、転位接触子１９．１〜１９．５に対応する。別の接触ブリッジ１３が、説明した両接触ブリッジ１０及び１１間に間隔をあけて設けられている。この別の接触ブリッジの一方の解放端部が、固定されたステップ接触子１５に接触され得る。その他方の端部が、転位接触子１９．１〜１９．５に接触され得る。さらに、ローラ接触子１４が、説明した接触ブリッジ１２に対して対称に配置されている。このローラ接触子１４は、接触ブリッジ１２に電気接続されていて且つ同様に転位接触子１９．１〜１９．５に接触可能である。
【００１３】
接触ブリッジ１２及びパワーエレクトロニクスを利用した電力スイッチの共通の出力部６並びに接触ブリッジ１３が、接触摺動部９の位置に応じて転位接触子１９．１〜１９．５のうちの１つの転位接触子に電気接続可能になることが分かる。静的運転中に、接触ブリッジ１３が、その都度接触したステップ接触子１５とその都度の転位接触子との間の直接の電気接続を受け持つ；このその都度の転位接触子は、切換位置に応じた転位接触子１９．１〜１９．５のうちの１つの転位接触子である。これに対して、パワーエレクトロニクスを利用した切換開閉器１の入力部に接続している接触ブリッジ１０及び１１は接触していない；半導体スイッチ２及び３がオフにされている。
【００１４】
切り換え開閉時に、方向「高い」に切り換えられなければならないのか又は方向「低い」に切り換えられなければならないのかに応じて、接触摺動部９が、左又は右に向かって移動される。その結果、両接触ブリッジ１０又は１１のうちの１つの接触ブリッジが、新たに接触すべきステップ接触子１５で停止し、それと同時にそれぞれの半導体スイッチ２又は３に対応する入力部４又は５に電気接続する。同時に、接触ブリッジ１３が、固定されたステップ接触子１５のうちの１つのステップ接触子に接触しなくなる。
【００１５】
接触ブリッジ１０及び１１が共に再びしなくなり、接触ブリッジ１３が通電を受け持つように、接触摺動部９がさらに移動した時に、当該切り換え開閉が終了する。
【００１６】
図２は、円形の配置を有する本発明の別の実施の形態を示す。ここでも、半導体スイッチ２及び３が設けられている。これらの半導体スイッチ２及び３はそれぞれ、独立した１つの入力部４又は５及び共通の１つの電気出力部６を有する。この場合、接触ローラ２２，２３，２４が設けられている。これらの接触ローラ２２，２３，２４はそれぞれ、１つの接触リング２５，２６，２７上で回転する。これらの接触リング２５〜２７は、当該機能に関して図１による接触軌道１６〜１８に相当する。図２では、固定された複数のステップ接触子１５が、同心円上に設けられている。中心切換軸２８が示されている。さらに、転位接触子１９．１〜１９．３が示されている。これらの転位接触子１９．１〜１９．３は、負荷時タップ切換器の固定接触子１５と異なる別の水平面内に配置されている。しかしながら、これらの転位接触子１９．１〜１９．３は、負荷時タップ切換器の固定接触子１５と同じ幾何構造及び垂直方向の配置を有する。
【００１７】
さらに、破線だけによって示された絶縁材料から成る切換セグメント２９が設けられている。切り換え開閉のため、この切換セグメント２９は、負荷時タップ切換器の２つの固定接触子１５間の距離又は２つの転位接触子１９．１．．．１９．３間の距離に相当する角度だけ切換軸２８によって回転可能である。当該切換セグメント２９には、接触ローラ（第１接触ブリッジ）３０，３１，（第２接触ブリッジ）３２が、第１水平面内に設けられている。これらの切換セグメント２９は、負荷時タップ切換器の固定接触子１５に接触可能である。さらに、別の接触ローラ（第３接触ブリッジ）３３，３４，（第５接触ブリッジ）３５が、第２水平面内に設けられている。これらの別の接触ローラ３３，３４，３５は、当該切換セグメントの位置に応じて転位接触子１９．１〜１９．３のうちの１つの転位接触子に接触可能である。接触ローラ３０は、接触リング２５を介して第１半導体スイッチ２の入力部４に電気接続している。接触ローラ３２は、接触リング２６を介して第２半導体スイッチ３の入力部５に電気接続している。下の接触ローラ３３及び３５は一緒に、接触リング２７を介して両半導体スイッチ２及び３の共通の出力部６に接続している。最後に、接触ローラ３０と接触ローラ３２との間に間隔をあけて配置されている接触ローラ３１が、下の接触ローラ３４を介して−位置に応じて−転位接触子１９．１〜１９．３のうちの１つの転位接触子に直接接続され得るように、上の接触ローラ３１及び下の接触ローラ３４が、電気伝導接続部（第４接触ブリッジ）３６を有する。
【００１８】
説明したように、本発明のこの実施の形態の場合は、切換セグメント２９及びこの切換セグメント２０と共に接触ローラ３０〜３５が、切換開閉ごとに回転運動する。しかしながら、当該機能原理は同じものである：静的運転中に、負荷時タップ切換器のその都度切り換えられた固定接触子が、接触ローラ３４を介して転位接触子１９．１〜１９．３のうちの１つの転位接触子に直接電気接続されている一方で、半導体スイッチ２及び３が、オフにされているだけではなくて、変圧器の巻線から電気的に分離されている。切り換え開閉時にだけ、回転方向に応じて、パワーエレクトロニクスを利用した切換開閉器の両入力部４又は５のうちの１つの入力部が、割り当てられた接触ローラ３０又は３２によって負荷時タップ切換器の切り換えられなければならないその都度の固定接触子１５に短期間その都度接続される。このとき、同時に、すなわち当該切り替え開閉中にだけ、回転方向に応じて、接触ローラ３３又は３５のうちの１つの接触ローラが、転位接触子１９．１〜１９．３のうちの１つの転位接触子に対する電気接続を受け持つ。
【００１９】
図３は、変圧器に対する本発明の負荷時タップ切換器の変更した接続を示す。ここでは、公知の無電流で切り換わるタップ選択器３７が、当該変圧器内にさらに設けられている。使用可能な電圧ステップの総数を増やすため、当該変圧器の巻線部３８及び３９が、このタップ選択器３７によって異なって切り換えられ得る。
【００２０】
全ての実施の形態において、説明した本発明の負荷時タップ切換器には、従来の技術と比べて、パワーエレクトロニクスを利用した切換開閉器までの全ての接続導線及びパワーエレクトロニクスを利用した切換開閉器からの全ての接続導線が、変圧器の巻線から電気的に分離されているという大きな利点がある。この場合、個々の接触ブリッジと個々の接触ブリッジとの間のオイル経路が、これらの構造部品間の絶縁を受け持つ。したがって、本発明の場合、当該パワーエレクトロニクスを利用した切換開閉器が、衝撃電圧と運転電圧による持続するストレスとの双方から分離されている。約１００ｍｓの期間の切換フェーズの実際の切り換え開閉中にだけ、変圧器の巻線との電気接続が発生し、同時に運転電圧が印加される。これに応じて、導管７の絶縁部分及び空気中の絶縁距離が、従来の技術と比べて小さく構成され得る。
【図面の簡単な説明】
【００２１】
【図１】本発明の負荷時タップ切換器を概略的に示す。
【図２】本発明の負荷時タップ切換器の別の実施の形態を示す。
【図３】変圧器に異なるスイッチを装着してある本発明の負荷時タップ切換器を示す。
【符号の説明】
【００２２】
１  切換開閉器
２  第１半導体スイッチ
３  第２半導体スイッチ
４  電気入力部
５  電気入力部
６  電気出力部
７  導管
８  機械式接触系
９  接触摺動部
１０  第１接触ブリッジ
１１  第２接触ブリッジ
１２  第３接触ブリッジ
１３  第４接触ブリッジ
１４  接触ローラ、ローラ接触子、第５接触ブリッジ
１５  ステップ接触子、固定接触子
１６  第１接触軌道
１７  第２接触軌道
１８  第３接触軌道
１９．１〜１９．５  転位接触子
２０  転位タップ
２１  主巻線
２２  接触ローラ
２３  接触ローラ
２４  接触ローラ
２５  接触リング
２６  接触リング
２７  接触リング
２８  切換軸
２９  切換セグメント
３０  接触ローラ、第１接触ブリッジ
３１  接触ローラ
３２  接触ローラ、第２接触ブリッジ
３３  接触ローラ、第３接触ブリッジ
３４  接触ローラ
３５  接触ローラ、第５接触ブリッジ
３６  電気伝導接続部、第４接触ブリッジ
３７  タップ選択器
３８  巻線部
３９  巻線部
【図１】
0005710587.tif 000002
【図２】
0005710587.tif 000003
【図３】
0005710587.tif 000004